【事件の表示】
　平成６年特許願第２８１２０７号「尿瓶洗浄金具」拒絶査定に対する審判事件［平成８年５月７日出願公開、特開平８−１１２２１８］について、次のとおり審決する。
【結　論】
　本件審判の請求は、成り立たない。
【理　由】
１．手続の経緯・本願の請求項１に係る発明
　本願は、平成６年１０月１９日に出願されたものであって、その請求項１に係る発明（以下、「本願の請求項１に係る発明」という。）は、出願当初の明細書及び図面の記載からみて、その特許請求の範囲の請求項１に記載された次のとおりのものである。
「【請求項１】　洗浄水が噴出するノズルを有し、該ノズルからの洗浄水の噴出をＯＮ，ＯＦＦさせる操作用スイッチと、給水用のホースを有する尿瓶洗浄金具であって、該尿瓶洗浄金具は、便器のロータンクの側面または前面に取り付けられた吊り下げ具に着脱可能に吊り下げ支持されているとともに、前記ホースは、前記ロータンク用の給水管に分岐接続されていることを特徴とする尿瓶洗浄金具。」
　
２．引用文献
　これに対して、原査定の拒絶の理由に引用され、本願の出願前に国内において頒布された実願昭６２−５１３３０号（実開昭６３−１５７３９５号）のマイクロフィルム（以下、「引用文献１」という。）には、
「トイレに臨む止水栓11付の給水管１と水栓タンク２の給水口21とを連結する連結配管部に、連結管を兼ねる３方分岐ストレーナー３を配設すると共に、該３方分岐ストレーナー３の給水取出側分岐口の一に、止水栓付ストレーナー４及び可撓性ホース５を介して水銃具６を設けたことを特徴とするトイレ清掃用水銃装置。」（１頁実用新案登録請求の範囲）、
「〔産業上の利用分野〕
　本考案は、トイレ内に水洗タンクを供えた家庭用水洗トイレ等の清掃に便利な、トイレ清掃用水銃装置に関するものである。」（１頁１３〜１６行）、
「〔作　用〕
　本考案において、３方分岐ストレーナー３は、給水管１からの給水を、水洗タンク２と水銃具６の双方へ導くためのものである。
　３方分岐ストレーナー３の給水取出側分岐口の一に連なる止水栓付ストレーナー４は、水銃具６等の部品交換時に、水洗タンク２への給水を止めることなく部品交換をなし、また、子供のいたずらによる放水を防止するためのものである。
　更に、可撓性ホース５は、トイレ清掃にあたり水銃具６の移動を容易ならしめ、清掃作業を便利になさしめるためのものである。
　水銃具６は、少なくともジェット状の吐水とシャワー状吐水との切換が可能なものとなし、汚れの程度や場所に応じて清掃を便利になしうるようにするとよい。」（５頁１〜１６行）、
「図示例の装置は、３方分岐ストレーナー３の給水受入側分岐口を止水栓11付の給水管１に直接接続し、同ストレーナー３を連結配管部を構成する一部材となすと共に、連結配管部を構成する別部材として、周知のフレキホースからなる連結管３’を用い、この連結管３’の一端を３方分岐ストレーナー３の給水取出側分岐口に接続し、また同連結管３’の他端を、水洗タンク２の給水口21に接続したものである。
　また、３方分岐ストレーナー３の残る給水取出側分岐口には、更に止水栓付ストレーナー４を接続し、この止水栓付ストレーナー４には、更に可撓性ホース５を介して、吐水切換レバー61付の水銃具６を接続してある。」（５頁１８行〜６頁１２行及び第１図）及び
「〔本考案の効果〕
　本考案に係るトイレ清掃用水銃装置は、水洗トイレの新設時だけではなく、既設の水洗トイレにも容易に且つ、外観上の体裁をくずすことなく水銃具６の部分を壁フック７にかける等して設置可能であり、設置後においては、必要に応じ手軽にトイレ清掃に使用できるものである。」（６頁１３〜１９行及び第１図）と記載されている。
　以上の明細書及び図面の記載によれば、引用文献１には、
「水の噴出を切換える吐水切換レバー61と、可撓性ホース５を有するトイレ清掃用水銃具６であって、トイレの壁に取り付けられたフック７に着脱可能に吊り下げ支持されているとともに、前記可撓性ホース５は、水洗タンク２用の連結管３’に分岐接続されているトイレ清掃用水銃具。」という発明が記載されていると認める。
　同じく、実公平３−４８２９１号公報（以下、「引用文献２」という。）には、
「〔従来の技術〕
　従来、病院、診療所等において、介助者が必要な患者や身体障害者のいる病室では、便器と汚物流しがそれぞれ独立に設置され、患者や身体障害者は便器で用便し、便器で用便できない患者や身体障害者が使用したおまるやおむつは汚物流しで洗っている。また、汚物流しを設置する空間を確保出来ない場合は便器内で洗っている。
　しかし、便器内でおまる、おむつ等の汚物を洗う場合、便器内の残留水や、便器の洗浄水を流しながら洗っていたため、洗い難いばかりでなく、おまる、おむつ等の汚物の洗浄には不要な水を多量に流していた。」（１欄１２行〜２欄１行）、
「図中、１は便器本体を示し、同便器本体１に対してヒンジ３により便座２を開閉可能に取りつける。便器本体１の後部には水槽４を固定し、同水槽４の便器本体１側の上方側面に、便器洗浄用レバーハンドル５および、便座２を引き起こしたときに、この便座２と当接する便座当たり止め６を設ける。
　上記便器構成において、本考案の要旨をなす便器取付用水栓７は、便器本体１の後部でかつ水槽４の前方に取付けられている。
　便器取付用水栓７は、基端を便器本体１の上面に固定し、かつＴ字形状を有する固定水栓本体８と、同固定水栓本体８の水平部の一側端に上下方向に回転自在に取付けた吐水管９とから構成されており、吐水管９は、その先端に吐水口１０を有する。」（２欄２０行〜３欄１２行及び第１、２図）、
「かかる構成によつて、吐水管９を短管部２７及び水平固定管１９の軸線周りに回転することによつて容易に第１図において実線で示す特機位置と、仮想線で示す使用位置を取らせることができる。」（３欄３０〜３４行及び第１図）
「便器を、汚物流しとして使用する場合は、第６図に示すように、便座２を引き起こして、水槽４の側面に設けた便座当たり止め６に当接させ、略直立した状態とする。また、吐水管９を水平となるよう回動して、便座２の穴部から突出させ、この状態で便器洗浄用レバーハンドル１０を操作して、吐水管９の吐水口１０から便器本体１内に吐水させた状態でおまる、おむつ等の汚物を洗浄することにより、単に便器本体１内にたまっている水だけで洗浄するのに比較して、充分に、かつ効率よくおまる、おむつ等の汚物を洗浄することができる。」（４欄１６〜２７行及び第６図）と記載されている。
　また、第１図には、「不使用時には、吐水管９を、便器の水槽４の前面位置に待機させること。」が記載されていると認められる。
　
３．対比・判断
　本願の請求項１に係る発明と引用文献１記載の発明とを比較すると、引用文献１記載の発明の「可撓性ホース５」、「フック７」、「水洗タンク２」、「連結管３’」は、本願の請求項１に係る発明の「給水用のホース」、「吊り下げ具」、「ロータンク」、「給水管」に相当し、また、引用文献１記載の発明のトイレ清掃用水銃具は、ノズル構造を有し、吐水切換レバーは該ノズルからの水の噴出をＯＮ，ＯＦＦさせるものであることは、技術常識として、当然具備している事項にすぎないといえるから、両者は、
「洗浄水が噴出するノズルを有し、該ノズルからの洗浄水の噴出をＯＮ，ＯＦＦさせる操作用スイッチと、給水用のホースを有する洗浄具であって、吊り下げ具に着脱可能に吊り下げ支持されているとともに、前記ホースは、タンク用の給水管に分岐接続されている洗浄具。」である点で実質上一致しているが、
（１）本願の請求項１に係る発明は、尿瓶洗浄金具に関するものであるのに対して、引用文献１記載の発明は、トイレ清掃用水銃具に関するものである点、及び
（２）吊り下げ具を、本願の請求項１に係る発明は、便器のロータンクの側面または前面に取り付けたのに対して、引用文献１記載の発明は、トイレの壁に取り付けられている点で、相違している。
　そこで、上記相違点について検討すると、
　相違点（１）について
　本願の出願前、引用文献２に記載のように、おまる又は尿瓶の便又は尿を便器に捨て、おまる又尿瓶を便所、便器に備えられた洗浄具を利用して、洗浄することは、日常普通に行われていることであるから、引用文献１記載の発明のトイレ清掃用水銃具を、尿瓶洗浄として利用することは、生活慣習上、通常のことであり、相違点（１）において、引用文献１記載の発明に代えて本願の請求項１に係る発明のようにすることは、単なる用途限定にすぎない。
　相違点（２）について
　引用文献２には、不使用時には、吐水管（本願の請求項１に係る発明の「洗浄金具」に相当する。）を便器の水槽（同じく「ロータンク」に相当する。）の前面位置に待機するようにした構造が記載されており、また、吊り下げ具をどの位置に取り付けるかは、当業者であれば、必要に応じて適宜変更できる事項であり、相違点（２）において、引用文献１記載の発明に代えて本願の請求項１に係る発明のようにすることは、当業者であれば、必要に応じて容易になし得る設計変更にすぎず、それにより奏される効果も格別なものとは認められない。
　　　　　　　　
４．むすび
　したがって、本願の請求項１に係る発明は、上記引用文献１及び２記載の発明に基いて当業者が容易に発明をすることができたものであるから、特許法第２９条第２項の規定により特許を受けることができないものであり、他の請求項に係る発明について検討するまでもなく、本願は拒絶すべきものである。
　よって、結論のとおり審決する。